(57)【要約】ディスク・ジョッキーのためのデジタル・メディア・システム（１０）は、デジタル・ストレージ・ドライブ（１０７）を含む。ミュージック・システム（１０）は、２つのメディア・リーダ（１１０、１１２）を有することが好ましい。オーディオ・ファイルについては、デジタル・ストレージ・ドライブ（１０７）への録音と、そこからの再生とを同時に行うことができる。デジタル・ストレージ・ドライブ（１０７）のデジタル・データを管理するためのオペレーティング・システムが含まれる。ミュージック・システム（１０）はまた、出力、ならびにメディア・リーダ（１１０、１１２）と、デジタル・ストレージ・ドライブ（１０７）と、オペレーティング・システムと、出力とをコントロールするためのコントロール・ユニット（２００）を含む。コントロール・ユニット（２００）は、第１および第２のインターフェース（２１０、２１２）を有する。インターフェース（２１０、２１２）は、メディア・リーダ（１１０、１１２）およびストレージ・ドライブ（１０７）からのデジタル・データを１つの信号へと独立して選択的にミキシングし、出力を通じてその信号を回送することができる。
2008500670.tif 000002
【特許請求の範囲】
【請求項１】
デジタル・メディアを再生するためのシステムであって、
そこへのデジタル・データの書き込みと、そこからのデジタル・データの読み取りとを同時に行うことができるデジタル・データ・ストレージ・デバイスと、
前記デジタル・データ・ストレージ・デバイス上の前記デジタル・データを再生して第１の信号を提供するための手段と、
前記デジタル・データ・ストレージ・デバイスへ通信可能に接続されている少なくとも１つのメディア・リーダであって、取り外し可能なメディア上に保存されているデジタル・データを読み取って第２の信号を提供し、前記デジタル・データを前記デジタル・データ・ストレージ・デバイスへ転送することができるメディア・リーダと、
前記取り外し可能なメディア上の前記デジタル・データを再生して第２の信号を提供するための手段と、
前記第１の信号および前記第２の信号へ通信可能に接続されている出力と、
第１のインターフェースおよび第２のインターフェースを有するコントロール・ユニットであって、前記第１のインターフェースが、前記デジタル・データ・ストレージ・デバイス内に保存されているデジタル・データの再生を独立してコントロールするための手段を含み、前記第２のインターフェースが、前記少なくとも１つのメディア・リーダによって読み取られている取り外し可能なメディア上に保存されているデジタル・データの再生を独立してコントロールするための手段を含むコントロール・ユニットと、
前記出力を通じて前記第１の信号および前記第２の信号を選択的に導くことができるミキサとを含むシステム。
【請求項２】
前記少なくとも１つのメディア・リーダが一対のコンパクト・ディスク光ドライブである請求項１に記載のシステム。
【請求項３】
ラック・マウントをさらに含む請求項１に記載のシステム。
【請求項４】
前記コントロール・ユニットを収容するための第１のハウジングと、
前記再生ユニットを収容するための第２のハウジングとをさらに含む請求項１に記載のシステム。
【請求項５】
前記第１のハウジングから延びている第１のラック・マウントと、
前記第２のハウジングから延びている第２のラック・マウントとをさらに含む請求項４に記載のシステム。
【請求項６】
前記デジタル・ストレージ・ドライブがハード・ディスクである請求項１に記載のシステム。
【請求項７】
前記デジタル・データを前記少なくとも１つのメディアから前記デジタル・データ・ストレージ・デバイスへコピーするための手段をさらに含む請求項１に記載のシステム。
【請求項８】
前記デジタル・データを圧縮されたメディア・フォーマットへ変換するための手段をさらに含む請求項７に記載のシステム。
【請求項９】
前記第１のユーザ・インターフェース内の第１のピッチ・コントロール・ユニットと、
前記第２のユーザ・インターフェース内の第２のピッチ・コントロール・ユニットとをさらに含み、
前記第１のピッチ・コントロールおよび前記第２のピッチ・コントロールがそれぞれ、前記第１の信号および前記第２の信号のそれぞれのピッチを相互にマッチさせることができるように調整可能である請求項１に記載のシステム。
【請求項１０】
前記第１の信号の前記ピッチを変更する第１のピッチ・ベンド・コントロールと、
前記第２の信号の前記ピッチを変更する第２のピッチ・ベンド・コントロールとをさらに含む請求項１に記載のシステム。
【請求項１１】
前記第１の信号を途切れなくループさせるための手段をさらに含む請求項１に記載のシステム。
【請求項１２】
前記第２の信号を途切れなくループさせるための手段をさらに含む請求項１に記載のシステム。
【請求項１３】
前記第１の信号をその希望の再生位置へ頭出しするための手段をさらに含む請求項１に記載のシステム。
【請求項１４】
前記第２の信号をその希望の再生位置へ頭出しするための手段をさらに含む請求項１に記載のシステム。
【請求項１５】
前記第１の信号および前記第２の信号の特徴を表示できるディスプレイをさらに含む請求項１に記載のシステム。
【請求項１６】
前記第１の信号の特徴を表示できる第１のディスプレイと、
前記第２の信号の特徴を表示できる第２のディスプレイとをさらに含む請求項１に記載のシステム。
【請求項１７】
ディスク・ジョッキーのためのメディア・システムであって、
取り外し可能なストレージ・メディアからデータを読み取ることができる第１のメディア・リーダおよび第２のメディア・リーダと、データのデュアル・ストリーミングが可能なデジタル・ストレージ・ドライブと、出力とを含む再生ユニットと、
前記再生ユニットの前記第１のメディア・リーダおよび前記第２のメディア・リーダからデータを読み取ること、ならびにそのデータを直接前記デジタル・ストレージ・ドライブにコンパクトなストレージ・フォーマットで書き込むことが可能な、前記デジタル・ストレージ・ドライブの前記デジタル・データを管理するためのオペレーティング・システムと、
前記第１のメディア・リーダと、前記第２のメディア・リーダと、デジタル・ストレージ・ドライブと、リッピング手段と、出力とをコントロールするためのコントロール・ユニットであって、第１のインターフェースおよび第２のインターフェースを有し、前記第１のインターフェースが、前記第１のメディア・リーダおよび前記デジタル・ストレージ・ドライブからのデジタル・データを第１の信号へと独立して選択的にミキシングし、前記出力を通じて前記第１の信号を回送することができ、前記第２のインターフェースが、前記第２のメディア・リーダおよび前記デジタル・ストレージ・ドライブからのデジタル・データを第２の信号へと独立して選択的にミキシングし、前記出力を通じて前記第２の信号を回送することができるコントロール・ユニットとを含むメディア・システム。
【請求項１８】
前記再生ユニットから延びている第１のラック・マウントと、
前記コントロール・ユニットから延びている第２のラック・マウントとをさらに含む請求項１７に記載のメディア・システム。
【請求項１９】
前記第１のメディア・リーダがコンパクト・ディスク互換プレーヤであり、前記第２のメディア・リーダがコンパクト・ディスク互換プレーヤである請求項１７に記載のメディア・システム。
【請求項２０】
前記デジタル・ストレージ・ドライブがハード・ディスクである請求項１７に記載のメディア・システム。
【請求項２１】
前記コンパクトなストレージ・フォーマットがＭＰ３フォーマットに準拠する請求項１７に記載のメディア・システム。
【請求項２２】
前記第１のユーザ・インターフェース内の第１のピッチ・コントロール・ユニットと、
前記第２のユーザ・インターフェース内の第２のピッチ・コントロール・ユニットとをさらに含み、
前記第１のピッチ・コントロールおよび前記第２のピッチ・コントロールがそれぞれ、前記第１の信号および前記第２の信号のそれぞれのピッチを相互にマッチさせることができるように調整可能である請求項１７に記載のメディア・システム。
【請求項２３】
前記第１の信号の前記ピッチを変更する第１のピッチ・ベンド・コントロールと、
前記第２の信号の前記ピッチを変更する第２のピッチ・ベンド・コントロールとをさらに含む請求項１７に記載のメディア・システム。
【請求項２４】
前記第１の信号を途切れなくループさせるための手段をさらに含む請求項１７に記載のメディア・システム。
【請求項２５】
前記第２の信号を途切れなくループさせるための手段をさらに含む請求項１７に記載のメディア・システム。
【請求項２６】
前記第１の信号をその希望の再生位置へ頭出しするための手段をさらに含む請求項１７に記載のメディア・システム。
【請求項２７】
前記第２の信号をその希望の再生位置へ頭出しするための手段をさらに含む請求項１７に記載のメディア・システム。
【請求項２８】
前記第１の信号および前記第２の信号の特徴を表示できるディスプレイをさらに含む請求項１７に記載のメディア・システム。
【請求項２９】
前記第１の信号の特徴を表示できる第１のディスプレイと、
前記第２の信号の特徴を表示できる第２のディスプレイとをさらに含む請求項１７に記載のメディア・システム。
【請求項３０】
ディスク・ジョッキーのためのデジタル・ミュージック・システムであって、
ラック・マウントと、第１のコンパクト・ディスク・プレーヤと、第２のコンパクト・ディスク・プレーヤと、データのデュアル・ストリーミングが可能なハード・ドライブと、出力とを含む再生ユニットと、
前記再生ユニットの前記第１のコンパクト・ディスク・プレーヤおよび前記第２のコンパクト・ディスク・プレーヤからデジタル形式で保存された音楽を読み取ること、ならびに前記デジタル形式で保存された音楽を直接前記ハード・ドライブにＭＰ３フォーマットで書き込むことが可能な、前記デジタル・ストレージ・ドライブの前記デジタル・データを管理するためのソフトウェア・プログラムと、
前記第１のコンパクト・ディスク・プレーヤと、第２のコンパクト・ディスク・プレーヤと、ハード・ドライブと、ソフトウェア・プログラムと、出力とをコントロールするためのコントロール・ユニットであって、ラック・マウントと、第１のディスプレイと、第２のディスプレイと、第１のインターフェースと、第２のインターフェースとを有するコントロール・ユニットとを含み、
前記第１のインターフェースが、前記コンパクト・ディスク・プレーヤおよび前記ハード・ドライブからのデジタル形式で保存された音楽を第１の信号へと独立して選択的にミキシングし、前記出力を通じて前記第１の信号を回送することができ、
前記第２のインターフェースが、前記第２のミュージック・プレーヤおよび前記ハード・ドライブからのデジタル形式で保存された音楽を第２の信号へと独立して選択的にミキシングし、前記出力を通じて前記第２の信号を回送することができ、
前記第１のディスプレイが、前記第１の信号の特徴を表示し、前記第２のディスプレイが、前記第２の信号の特徴を表示するミュージック・システム。
【請求項３１】
前記第１のユーザ・インターフェース内の第１のピッチ・コントロール・ユニットと、
前記第２のユーザ・インターフェース内の第２のピッチ・コントロール・ユニットとをさらに含み、
前記第１のピッチ・コントロールおよび前記第２のピッチ・コントロールがそれぞれ、前記第１の信号および前記第２の信号のそれぞれのピッチを相互にマッチさせることができるように調整可能である請求項３０に記載のミュージック・システム。
【請求項３２】
前記第１の信号の前記ピッチを変更する第１のピッチ・ベンド・コントロールと、
前記第２の信号の前記ピッチを変更する第２のピッチ・ベンド・コントロールとをさらに含む請求項３０に記載のミュージック・システム。
【請求項３３】
前記第１の信号を途切れなくループさせるための手段をさらに含む請求項３０に記載のミュージック・システム。
【請求項３４】
前記第２の信号を途切れなくループさせるための手段をさらに含む請求項３０に記載のミュージック・システム。
【請求項３５】
前記第１の信号をその希望の再生位置へ頭出しするための手段をさらに含む請求項３０に記載のミュージック・システム。
【請求項３６】
前記第２の信号をその希望の再生位置へ頭出しするための手段をさらに含む請求項３０に記載のミュージック・システム。
【請求項３７】
デジタル・オーディオ・ファイルを再生するためのシステムであって、
デジタル・オーディオ・ファイルを保存するための第１のデジタル・ストレージ・デバイスと、
前記第１のデジタル・ストレージ・デバイス上の前記デジタル・オーディオ・ファイルを再生して第１のオーディオ信号を提供するための手段と、
デジタル・オーディオ・ファイルを保存するための第２のデジタル・ストレージ・デバイスと、
前記第２のデジタル・ストレージ・デバイス上の前記デジタル・オーディオ・ファイルを再生して第２のオーディオ信号を提供するための手段と、
第１のインターフェースおよび第２のインターフェースを有するコントロール・ユニットであって、前記第１のインターフェースが、前記第１のデジタル・オーディオ信号の再生を独立してコントロールするための手段を含み、前記第２のインターフェースが、前記第２のデジタル・オーディオ信号の再生を独立してコントロールするための手段を含むコントロール・ユニットと、
前記出力を通じて前記第１のオーディオ信号および前記第２のオーディオ信号を選択的に導くことができるミキサとを含むシステム。
【請求項３８】
前記第１のデジタル・ストレージ・デバイスが、デジタル・オーディオ・ファイルの再生と保存とを同時に行うことができるハード・ドライブである請求項３７に記載のシステム。
【請求項３９】
前記第２のデジタル・ストレージ・デバイスが光コンパクト・ディスク・リーダである請求項３７に記載のシステム。
【発明の詳細な説明】
【技術分野】
【０００１】
本発明は、デジタル・ストレージ・ベースのミュージック・システムに関する。詳細には、本発明は、ディスク・ジョッキーによる使用にとりわけよく適しており、かつディスク・ジョッキーによる使用のために特に設計されたデジタル・ストレージ・ベースのミュージック・システムに関する。
【背景技術】
【０００２】
音楽業界では、デジタル・ストレージ・ベースのミュージック・システムが、よく知られている。これらのシステムにおいては、音楽は、ハード・ドライブなどの大容量の磁気ストレージ・デバイス内にデジタル形式で保存され、光ディスクおよびビニール盤レコードが不要となる。たとえば、個人的に楽しむための多くのポータブル・ユニットが、幅広く市販されている。
【０００３】
しかし、これらのデバイスのいずれも、プロのディスク・ジョッキーによる使用には適していない。特にこれらの消費者向けユニットには、音楽を正確に頭出ししてトラック内の正確なループ・ポイントを設定する機能が欠けている。さらに既存の消費者向けユニットは、丈夫な筐体に入れて組み立てられてはおらず、そうした丈夫な筐体は、自分の機材を絶えず移動させなければならないあらゆるディスク・ジョッキーにとって必要不可欠である。また既存の消費者向けユニットには、デュアル・メディア・ドライブも欠けている。ディスク・ジョッキーは、音楽を再生しつつ次に再生する予定の曲の再生準備を同時にできなければならないため、デュアル・メディア・ドライブは、ディスク・ジョッキーにとって必須である。消費者向けユニットには、異なる曲どうしの音楽のテンポをマッチさせる一般に「ビート・マッチング」と呼ばれる機能も欠けている。この機能がなければ、ディスク・ジョッキーは、視聴者を驚かすことなく１つの曲から次の曲へと途切れなく移行することはできない。
【発明の開示】
【発明が解決しようとする課題】
【０００４】
したがって、音楽のプロを満足させるのに必要な高度な特長および機能を含むそのようなデジタル・ストレージ・ベースのミュージック・システムに対するニーズが存在する。
【課題を解決するための手段】
【０００５】
本発明は、特にディスク・ジョッキーのために設計されたデジタル・ストレージ・ベースのミュージック・システムである。この新しいユニークなシステムは、別個のコンピュータを必要としないスタンド・アロンのデジタル・ストレージ・デバイスを提供する。したがって、ミュージック・ライブラリの全体をこのデバイス上に保存することができる。ユニークなことに、音楽の保存、再生、およびコントロールに際してかつてない柔軟性を提供するために、２つのメディア・リーダも含まれている。たとえば、メディアをデジタル・ストレージ・デバイスから同時にストリームすることができ、トラックを、保存用に圧縮されたあるいは圧縮されていないフォーマットでデジタル・ストレージ・デバイスへコピーすなわち「リッピング」することができる。図示されているように、メディアをミキシングおよびコントロールするための物理インターフェースが提供され、これは、既存の消費者向けミュージック・パーソナル・ポータブル・デバイスには見られないものである。このデバイスをディスク・ジョッキーによる使用に適したものとするために、このデバイスには、そのようなディスク・ジョッキーに固有の多くの機能強化が施されている。たとえばデジタル・ストレージ・ドライブ上の音楽は、途切れなくループし、正確に頭出しすることができる。
【０００６】
具体的には、本発明によるディスク・ジョッキーのためのデジタル・メディア・システムは、デジタル・データのデュアル・ストリーミングが可能な、ハード・ディスクなどのデジタル・ストレージ・ドライブを含む。このミュージック・システムは、取り外し可能なメディア上に保存されているデジタル・データを読み取ることができる第１のメディア・リーダおよび第２のメディア・リーダを有することが好ましい。デジタル・ストレージ・ドライブのデジタル・データを管理するためのオペレーティング・システムが含まれる。このミュージック・システムはまた、出力と、メディア・リーダ、デジタル・ストレージ・ドライブ、オペレーティング・システム、および出力をコントロールするためのコントロール・ユニットとを含む。コントロール・ユニットは、第１のインターフェースおよび第２のインターフェースを有する。第１のインターフェースは、第１のメディア・リーダおよびストレージ・ドライブからのデジタル・データを第１の信号へと独立して選択的にミキシングし、出力を通じてその第１の信号を回送することができる。第２のインターフェースは、第２のメディア・リーダおよびストレージ・ドライブからのデジタル・データを第２の信号へと独立して選択的にミキシングし、出力を通じてその第２の信号を回送することができる。
【０００７】
上述の点を考慮すると、当技術分野で知られているデバイスおよびシステムと比べて全く新しいユニークな優れたディスク・ジョッキー向け音楽再生システムが提供される。結果として、ディスク・ジョッキーによる音楽の再生は、従来技術のデバイスおよびシステムと比べて大幅に改善され、向上し、容易になる。
【０００８】
本発明のこれらおよびその他の特徴、態様、および利点は、以降の説明、添付の特許請求の範囲、および添付の図面を参照すれば、よりよく理解できるようになるであろう。
【発明を実施するための最良の形態】
【０００９】
ここで図１を参照すると、本発明の好ましい実施形態が、全体として１０で示されている。本明細書においてさらに完全に説明するように、本発明のデジタル・ミュージック・システムは、データのデュアル・ストリーミングが可能なデジタル・ストレージ・ドライブと、２つの取り外し可能なストレージ・メディア・リーダと、デジタル・ストレージ・ドライブのコンテンツを保存および管理するオペレーティング・システムと、メディア・リーダおよびデジタル・ストレージ・ドライブをコントロールするためのコントロール・ユニットとを含む。コントロール・ユニットは、ディスク・ジョッキーによる使用に非常に適したフォーマットで構成された第１および第２のインターフェースを有する。
【００１０】
次いで図１および図２ａを参照すると、単独の再生ユニット１００内に含まれた２つのメディア・リーダ１１０、１１２が存在することが好ましい。再生ユニット１００は、再生ハウジング１０２を有する。ハウジング１０２は、フロント・パネル１０４およびリア・パネル１０６を有する。再生ハウジング１０２の両端から延びているのが、ラック・マウント１０８である。ラック・マウント１０８および再生ハウジング１０２は、一般にディスク・ジョッキーによって使用される標準的な１９インチのラック内に再生ユニット１００を搭載できるように構成される。再生ユニット１００のハウジング内には、第１のメディア・リーダ１１０および第２のメディア・リーダ１１２が存在し、これらは、コンパクト・ディスク光ドライブであることが好ましいが、ＤＶＤプレーヤ、ミニディスク・プレーヤ、あるいはコンパクト・フラッシュ・モジュールなど、その他の取り外し可能メディア・タイプのデータ・リーダとすることもできる。
【００１１】
メディア・リーダ１１０、１１２に適切なメディアを装着するためのアクセスは、フロント・パネル１０４上の第１のメディア・リーダ１１０と第２のメディア・リーダ１１２の間に配置されている第１のイジェクト・コントロール１１４および第２のイジェクト・コントロール１１６を作動させることによって、再生ユニット１００のフロント・パネル１０４を通じて得られる。デジタル・ミュージック・システム１０のオンとオフを切り替えるために、電源スイッチ１１８が、再生ユニット１００のフロント・パネル１０４上のイジェクト・コントロール１１４、１１６のすぐ下に配置されている。電源スイッチ１１８のすぐ下には、フロント・データ・ポート１２０およびフロント・キーボード・ポート１２２がある。フロント・データ・ポートは、ユニバーサル・シリアル・バス互換ポートであることが好ましいが、その他のシリアル・デバイス・コネクタを使用することもできる。
【００１２】
次いで図２ｂを参照すると、電源入力１２４、第１のライン出力１２６ａおよび第２のライン出力１２６ｂ、ライン入力１２８、第１のコントローラ・コネクタ１３０ａおよび第２のコントローラ・コネクタ１３０ｂ、第１のデジタル出力１３２ａおよび第２のデジタル出力１３２ｂ、第１の光デジタル出力１３４ａおよび第２の光デジタル出力１３４ｂ、リア・データ・ポート１３６、ならびにリア・キーボード・ポート１３８を含む複数のコネクタが、再生ユニット１００のリア・パネル１０６上に配置されている。全体として、上記の第１および第２の出力はすべて、内部ではそれぞれのメディア・リーダ１１０、１１２へ電気的に接続される。電源入力１２４は、一般に消費者向けの電子デバイス用に使用される標準的な電源ケーブル（図示せず）を介して、電源（図示せず）へ接続される。第１のコントロール・コネクタ１３０ａおよび第２のコントロール・コネクタ１３０ｂは、コントロール・ユニット２００へ接続されて、さらに詳しく後述するように、コントロール・ユニット２００は、再生ユニット１００を操作できるようになる。リア・データ・ポート１３６は、ユニバーサル・シリアル・バス互換ポートであることが好ましいが、その他のシリアル・デバイス・コネクタを使用することもできる。
【００１３】
デジタル・ストレージ・ドライブ１０７も、再生ユニット１００の再生ユニット・ハウジング１０２内に配置されている。デジタル・ストレージ・ドライブ１０７は、ハード・ディスク・ドライブであることが好ましいが、大容量のフラッシュ・メモリなど、その他のデバイスを使用することもできる。ただしデジタル・ストレージ・ドライブ１０７は、データのデュアル・ストリーミングが可能であることが決定的に重要である。この機能は、ディスク・ジョッキーにとって決定的に重要である。というのも、ディスク・ジョッキーは、ドライブ上に保存されている音楽を再生しながら、同時に再生の準備をしたり、メディア・リーダ１１０、１１２から音楽をコピーしたり、あるいはドライブ上に保存されている再生リストを自分のパフォーマンス中に編集したりすることができなければならないためである。ディスク・ジョッキーは、パフォーマンス中にはマルチタスクが可能でなければならず、ディスク・ジョッキーの機材は、この役割をサポートしなければならない。またデジタル・ストレージ・ドライブ１０７は、さらに完全に後述するように、コントロール・ユニット２００内に容易に設置することができる。
【００１４】
再び図１および図３ａを参照すると、本発明のコントロール・ユニット２００は、フロント・パネル２０４およびリア・パネル２０６を備えたコントロール・ユニット・ハウジング２０２を有する。コントロール・ユニット・ハウジング２０２の両端から延びているのが、ラック・マウント２０８である。ラック・マウント２０８およびコントロール・ユニット・ハウジング２０２は、一般にディスク・ジョッキーによって使用される標準的な１９インチのラック内にコントロール・ユニット２００を搭載できるように構成される。コントロール・ユニット２００は、フロント・パネル２０４上に配置された第１のインターフェース２１０および第２のインターフェース２１２を有する。それぞれのインターフェース２１０、２１２は、他方のインターフェース２１０、２１２と実質的に同じフォーマットで配置されている複数のコントロールを介して、再生ユニット１００の対応するメディア・リーダ１１０、１１２を独立してコントロールする。それぞれのインターフェースはまた、デジタル・ミュージック・システム１０の動作の統計データ、モード、およびコンテンツをディスク・ジョッキーに知らせるためのディスプレイ２１４、２１６を有する。
【００１５】
次いで図３ｂを参照すると、コントロール・ユニット２００のコントロール・ユニット・ハウジング２０２のリア・パネル２０６上には、第１のコントロール・コネクタ２０１ａおよび第２のコントロール・コネクタ２０１ｂがある。第１のコントロール・コネクタ２０１ａおよび第２のコントロール・コネクタ２０１ｂは、一対のコントロール・ケーブル（図示せず）を介して、再生ユニット１００の再生ユニット・ハウジング１０２のリア・パネル１０６上の第１のコントロール・コネクタ１３０ａおよび第２のコントロール・コネクタ１３０ｂのそれぞれに接続される。
【００１６】
次いで図４を参照すると、第１のインターフェース２１０の拡大図が示されており、以降ではこれについて詳しく考察する。ただし、この考察は、第２のインターフェース２１２にも同様に当てはまり、便宜上１回だけ説明するにすぎないということを理解されたい。第１のインターフェース２１０は、１つのディスプレイと、デジタル・ミュージック・システム１０の機能をコントロールするための複数のコントロールと、デジタル・ミュージック・システム１０が作動させた可能性のあるさまざまなモードをディスク・ジョッキーに知らせるための複数のインジケータとを有する。
【００１７】
オープン・コントロール２１６が、左上の隅に配置されている。オープン・コントロール２１６は、第１のメディア・プレーヤ１１０の開閉を行い、再生ユニット１００上に配置されているイジェクト・コントロール１１４と機能面において全く同じである。オープン・コントロール２１６のすぐ下には、ディスクイン・インジケータ２１７がある。ディスクイン・インジケータ２１７は、ディスクがメディア・プレーヤ１１０内に装着されているかどうかを示す。オープン・コントロール２１６の隣には、バック・コントロール２１８がある。（さらに完全に後述する）音楽カタログのブラウズ中に、バック・コントロール２１８は、前のメニュー・レベルへ戻るために使用される。バック・コントロール２１８はまた、デジタル・ミュージック・システム１０が再生モードである場合に、前のトラックへ戻るために使用される。バック・コントロール２１８の隣には、選択コントロール２２０がある。選択コントロール２２０を作動させると、（後述する）ジョグ・ホイール２２２が、選択モードに入る。ブラウズ中に、選択コントロール２２０は、トラックの選択と自動頭出しとを含む次のメニュー・レベルへ移動するために使用される。選択コントロール２２０はまた、デジタル・ミュージック・システム１０が再生モードである場合に、ディスク・ジョッキーによって入力された選択を確認して次のトラックへ進むために使用される。選択コントロール２２０の下には、選択インジケータ２２１があり、これは、選択コントロール２２０が作動されている時を示す。
【００１８】
第１のインターフェース２１０はまた、ジョグ・ホイール２２２を有し、これは、軸を中心にして自由に回転することができ、その時点で作動しているモードに応じて４つの動作を有する。再生モードで再生中に、ジョグ・ホイール２２２は、「ピッチ・ベンド」と呼ばれる、再生されている音楽のテンポに対する瞬間的な調整を行うために使用される。ジョグ・ホイール２２２を時計方向に回転させると、瞬間的にテンポが速くなり、反時計方向に回転させると、瞬間的にテンポが遅くなる。この機能によって、ディスク・ジョッキーは、２つの異なる曲のベース・ビートを同調させる「ビート・マッチング」と呼ばれる技術を行うためにテンポに対する微調整を行って、途切れのないパフォーマンスを容易にすることができる。再生モードで一時停止中に、ジョグ・ホイール２２２は、新しい頭出しポイントを見つけるために使用される。音楽が一時停止されている間にジョグ・ホイール２２２を回転させると、その音楽が聞こえてくる。ディスク・ジョッキーは、その曲の中で再生を開始したい正確なポイントを見つけることができる。検索モード中に、ジョグ・ホイール２２２は、早送りまたは巻き戻しのいずれかを行う。選択モード中に、ジョグ・ホイール２２２は、メニュー内を行き来するために（前述の）選択コントロール２２０と組み合わせて使用される。
【００１９】
ディスプレイの下には、再生／一時停止コントロール２２４がある。再生／一時停止コントロール２２４を１回作動させると、最後に設定された頭出しポイントで再生が開始される。再生／一時停止コントロール２２４をもう１回作動させると、再生が一時停止され、またジョグ・ホイール２２２が、再生モードで一時停止される。再生／一時停止コントロール２２４をさらにもう１回作動させると、再生が再開され、新しい頭出しポイントが設定される。
【００２０】
再生／一時停止コントロール２２４の隣には、頭出しコントロール２２６がある。音楽が再生されている間に頭出しコントロール２２６を作動させると、音楽は、最後に設定された頭出しポイントへ戻って一時停止される。頭出しコントロール２２６をもう１回作動させてそのまま保持すると、音楽は、頭出しポイントから、頭出しコントロール２２６が保持されている間だけ再生される。選択モード中に頭出しコントロール２２６を作動させると、その選択されているトラックは再生モードへ入り、そのトラックの始まりへと頭出しされる。
【００２１】
第１のディスプレイ２１４の隣には、ピッチ・コントロール２２８がある。ピッチ・コントロール２２８によって、ディスク・ジョッキーは、音楽のテンポを永続的に調整して、加速したり減速したりすることができる。ピッチ・コントロール２２８はまた、音楽をそのオリジナルのテンポへ戻すためのニュートラル・ポジションを有する。ディスク・ジョッキーは、再生モードにおいてピッチ・コントロール２２８をジョグ・ホイール２２２と組み合わせて使用し、自分のパフォーマンスにおける曲のビート・マッチングを容易にする。
【００２２】
ジョグ・ホイール２２２の下には、ループイン・コントロール２３２と、ループアウト・コントロール２３４と、リループ・コントロール２３６とを含む一組のループ・コントロール２３０がある。ループイン・コントロール２３２を作動させると、音楽セグメントをループするためのループイン・ポイントが設定される。デフォルトでは、ループイン・ポイントは、最初の頭出しポイントでもある。ループアウト・コントロール２３４を作動させると、ループアウト・ポイントが設定される。再生中にループアウト・コントロール２３４を作動させると、再生はすぐにループイン・ポイントへ戻り、ループイン・ポイントとループアウト・ポイントの間で特定された音楽セグメントの再生へと進み、ループアウト・コントロール２３４が再び作動されるまで繰り返し再生を行う。リループ・コントロール２３６を作動させると、音楽の再生はループイン・ポイントへと戻り、ループイン・ポイントとループアウト・ポイントの間で特定された音楽セグメントが、もう一度再生される。リループ・コントロール２３６はまた、短く繰り返す効果音を生成する機能も有する。
【００２３】
ディスプレイの上には、一組の機能コントロール２３８があり、これは左から順に、検索コントロール２４０、情報コントロール２４２、時間コントロール２４４、モード・コントロール２４６、プログラム・コントロール２４８、録音コントロール２５０、およびセーブ・コントロール２５２を含む。検索コントロール２４０は、ミュージック・システム１０のその時点のモードに応じて２つの動作を有する。ミュージック・システム１０が再生モードではない場合に、検索コントロール２４０を作動させると、ディスク・ジョッキーは、ジョグ・ホイール２２２を使用して、アーティスト、曲、アルバムによって、および再生リストによって、音楽を探して検索およびブラウズを行うことができる。ミュージック・システム１０が再生モードである場合に、検索コントロール２４０を作動させると、ディスク・ジョッキーは、ジョグ・ホイール２２２を使用して、その曲の中で早送りや巻き戻しを行うことができる。
【００２４】
検索コントロール２４０は、適切な再生ポイントが見つかった後にうっかり検索を行ってしまうことを防止するために、８秒間使用されないと自動的にオフになる。検索コントロール２４０を作動させると、検索インジケータ２４１は、検索コントロール２４０がアクティブであることを示す。検索インジケータは、選択コントロール２２０の下、選択インジケータ２２１のすぐ上に配置されている。
【００２５】
検索コントロール２４０の隣には、情報コントロール２４２がある。情報コントロール２４２を作動させると、その時点で選択されている、あるいは再生されているトラックに関連するすべてのデータが表示される。これについては、さらに完全に後述する。情報コントロール２４２を作動させて２秒間そのまま保持すると、ミュージック・システム２０は編集モードに入り、ディスク・ジョッキーは、トラックのタイトルを変更したり、さまざまな他の特徴を編集したりすることができる。この機能ついては、さらに完全に後述する。
【００２６】
情報コントロール２４２の隣には、時間コントロール２４４がある。時間コントロール２４４は、経過した再生時間と、トラック上の残り時間と、アルバムまたは再生リスト上の残り時間との間で、表示される時間データを切り替える。
【００２７】
時間コントロール２４４の隣には、モード・コントロール２４６がある。モード・コントロール２４６は、アルバムまたは再生リストの連続再生と、単一トラックの１回だけの再生と、再生リストのアルバムのランダム連続再生と、アルバムまたは再生リストのリピート再生と、単一トラックの１回だけのリピート再生とを含む複数の再生モードの間で切り替えを行う。
【００２８】
モード・コントロール２４６の隣には、プログラム・コントロール２４８がある。プログラム・コントロールを作動させると、ディスク・ジョッキーは、再生リストを作成して、それらの中のトラックの順番を決めることができる。
【００２９】
プログラム・コントロール２４８の隣には、録音コントロール２５０がある。録音コントロール２５０を作動させると、ディスク・ジョッキーは、メディアを録音するためにメディア・リーダ１１０またはライン入力１２８のいずれかを選択するように促される。メディアがメディア・リーダ１１０内にある場合、ディスク・ジョッキーには、ＣＤのコンテンツを高速にアーカイブするか、またはＣＤのコンテンツを保存および圧縮するかという２つのオプションが提示される。これらの機能については、さらに完全に後述する。
【００３０】
録音コントロール２５０の隣には、保存／削除コントロール２５２がある。保存／削除コントロール２５２は、編集された情報や再生リストを保存するために、ならびに再生リストおよびコンテンツを削除するコマンドを実行するために使用される。
【００３１】
ピッチ・コントロール２２８の上には、リレー・コントロール２５４がある。リレー・コントロール２５４を作動させると、第１のインターフェース２１０内に配列されているメディアと、第２のインターフェース２１２内に配列されているメディアとの間で、それぞれのシーケンスが終了した際に再生が切り替えられる。
【００３２】
リレー・コントロール２５４の隣には、ユーティリティ・コントロール２５６がある。ユーティリティ・コントロール２５６をジョグ・ホイール２２２と組み合わせて使用すると、ディスク・ジョッキーは、オーディオ設定、パスワード、オート・ドア・クローズを可能にすること、ビットレートのコード化を設定すること、ＣＤＤＢルックアップを可能にすること、システム容量を見ること、バージョン番号のチェック、曲の削除、再生リストの削除、アルバムの削除、ストレージ・ドライブのデフラグ、およびストレージ・ドライブのフォーマットといったシステム機能を作動させることができる。これらの機能については、さらに完全に後述する。
【００３３】
第１のインターフェース２１０および第２のインターフェース２１２と同様に、第１のディスプレイ２１４および第２のディスプレイ２１６は相互に同一であるが、第１のディスプレイ２１４は、主として第１のメディア・リーダ１１０の特徴を表示し、第２のディスプレイ２１６は、主として第２のメディア・リーダ１１２の特徴を表示する。したがって、第１のディスプレイ２１４に関する以降の説明は、第２のディスプレイ２１６にも同様に当てはまり、便宜上１回だけ説明するものであることを理解されたい。
【００３４】
第１のディスプレイ２１６は、複数のインジケータを有し、これらは、その時点におけるミュージック・システム１０のさまざまなモード、ディスク・ジョッキーが選択したメディア・コンテンツのさまざまな統計データ、およびミュージック・システム１０を管理するためにディスク・ジョッキーが作動させる可能性のあるさまざまな機能のメニューをディスク・ジョッキーに知らせる。
【００３５】
ディスプレイ２１６の左上の隅には、頭出しインジケータ３０２がある。頭出しインジケータ３０２は、ディスク・ジョッキーが頭出しポイントを設定しているときに点滅する。頭出しインジケータ３０２は、ミュージック・システム１０が、以前に設定された頭出しポイントで一時停止されているときに継続的に点灯する。
【００３６】
頭出しインジケータ３０２の隣には、一時停止インジケータ３０４がある。一時停止インジケータ３０４は、ミュージック・システム１０が再生／一時停止コントロール２２４の作動によって一時停止されている時を示す。
【００３７】
一時停止インジケータ３０４の隣には、再生インジケータ３０６がある。再生インジケータ３０６は、ミュージック・システム１０が再生／一時停止コントロール２２４の作動によって再生モードにある時を示す。
【００３８】
頭出しインジケータ３０２、一時停止インジケータ３０４、および再生インジケータ３０６の下には、ランダム・インジケータ３０８がある。ランダム・インジケータ３０８は、モード・コントロール２４８がランダム再生モードに設定されている時を示す。
【００３９】
ランダム・インジケータ３０８の下には、シングル・インジケータ３１０がある。シングル・インジケータ３１０は、モード・コントロール２４８が１回だけのリピート再生モードに設定されている時を示す。
【００４０】
シングル・インジケータ３１０の下には、リピート・インジケータ３１２がある。リピート・インジケータ３１２は、モード・コントロール２４８がリピート再生モードに設定されている時を示す。
【００４１】
リピート・インジケータ３１２の下には、メディア・タイプ・インジケータ３１４がある。メディア・タイプ・インジケータ３１４は、ＭＰ３フォーマットのＣＤ−ＲＯＭやオーディオＣＤなど、メディア・リーダ１１０内に装着されているメディアのタイプを示す。
【００４２】
再生インジケータ３０６の隣には、時間ディスプレイ３１６がある。時間ディスプレイ３１６は、時間コントロール２４４の設定に応じて経過時間または残り時間を表すための３つのペアのディジット・インジケータ３１８を含む複数のコンポーネントを有していた。ディジット・インジケータ３１８のそれぞれのペアの隣には、時間単位インジケータ３２０がある。時間単位インジケータ３２０は、ディジット・インジケータ３１８が表す時間の単位を示す。時間単位インジケータ３２０は、ディジット・インジケータ３１８が時間、分、および秒を表示しているのか、またはディジット・インジケータ３１８が分、秒、およびフレームを示しているのかを示す。ディジット・インジケータ３１８の下には、経過３２２、トータル３２４、および残り３２６という３つのインジケータがある。経過インジケータ３２２は、ディジット・インジケータ３１８によって表示されている時間が、経過したトータルの時間であることを示す。残りインジケータ３２６は、ディジット・インジケータ３１８によって表示されている時間が、特定のトラック上に残っている時間であることを示す。トータル・インジケータ３２４と残りインジケータ３２６は共同して、ディジット・インジケータ３１８によって表示されている時間が、ＣＤ、アルバム、または（必要に応じて）再生リスト上に残っているトータルの時間であることを示す。
【００４３】
経過インジケータ３２２、トータル・インジケータ３２４、および残りインジケータ３２６の下には、時間バー３２８がある。時間バー３２８は、時間コントロール２４４の設定に応じて、残り時間、トータルの残り時間、またはトラックの経過時間をグラフィカルに示す。時間ディスプレイ３１６の隣には、ピッチ・インジケータ３３０がある。ピッチ・インジケータ３３０は、ミュージック・システム１０の現在のピッチの設定を示す。
【００４４】
ピッチ・ディスプレイ３３０の下には、ループ・インジケータ３３２がある。ループ・インジケータ３３２は、現在の再生がループ・ポイントどうしの間で行われているかどうかを示す。
【００４５】
ループ・インジケータ３３２を取り囲んでいるのが、ループ・リング・インジケータ３３４であり、これは、第１のセグメント３３４ａおよび追尾セグメント３３４ｂを含む。ループ・リング・インジケータ３３４の第１のセグメント３３４ａは、ループ・ポイントによって選択されたメディアが再生されている時を示す。ループ・リング・インジケータ３３４の追尾セグメント３３４ｂは、ループが再生されている時を示す。
【００４６】
メディア・タイプ・インジケータ３１４、時間バー３２８、およびループ・リング・インジケータ３３４の下には、複数のソース・インジケータおよびモード・インジケータ３３５があり、これらはすべて一列に並んでおり、ミュージック・システム１０の再生のソースおよび機能モードを示す。ソース・インジケータおよびモード・インジケータ３３５は、ＣＤインジケータ３３６、アルバム・インジケータ３３８、アーティスト・インジケータ３４０、曲インジケータ３４２、検索インジケータ３４４、再生リスト・インジケータ３４６、録音インジケータ３４８、およびユーティリティ・インジケータ３５０を含む。
【００４７】
まずは左から、ＣＤインジケータ３３６は、再生のソースがメディア・プレーヤ１１０からであることを示す。ＣＤインジケータ３３６の隣には、アルバム・インジケータ３３８がある。アルバム・インジケータ３３８は、１枚のアルバムの全体が（後述する）アルバム・リストから再生されている時を示す。アルバム・インジケータ３３８の隣には、アーティスト・インジケータ３４０がある。アーティスト・インジケータ３４０は、再生が（後述する）アーティスト・リストから行われている時を示す。アーティスト・インジケータ３４０の隣には、曲インジケータ３４２がある。曲インジケータ３４２は、再生が（後述する）曲リストから行われている時を示す。曲インジケータ３４２の隣には、検索インジケータ３４４がある。検索インジケータ３４４は、ミュージック・システムが検索モードである時を示す。検索インジケータ３４４の隣には、再生リスト・インジケータ３４６がある。再生リスト・インジケータ３４６は、再生が再生リストから行われている時を示す。再生リスト・インジケータ３４６の隣には、録音インジケータ３４８がある。録音インジケータは、ミュージック・システム１０が録音を行っている時を示す。録音インジケータ３４８の隣には、ユーティリティ・インジケータ３５０がある。ユーティリティ・インジケータ３５０は、ユーティリティ・コントロール２５６が作動している時を示す。
【００４８】
ソース・インジケータ３３５の下には、マトリックス・テキスト・エリア３５２がある。マトリックス・テキスト・エリア３５２は、トラック・タイトル、プログラミング・テキスト、およびミュージック・システム１０の情報など、複数のアイテムを表示する。
【００４９】
本発明の好ましい実施形態には、デジタル・ストレージ・ドライブ１０７上に保存されるデジタル・データと、ディスク・ジョッキーによるコントロール・ユニット２００への入力とを管理するためのオペレーティング・システムが含まれる。前述のさまざまなコントロールに加えて、ディスク・ジョッキーは、一連のメニューを通じてミュージック・システム１０への入力を行うことができる。前述のように、ディスク・ジョッキーは、ジョグ・ホイール２２２、バック・コントロール２１８、および選択コントロール２２０を使用して、さまざまなメニュー内を行き来し、選択を行う。さまざまなメニューの作動は、適切な機能コントロール２３８またはユーティリティ・コントロール２５６を作動させることによって達成される。
【００５０】
オペレーティング・システムにとって決定的に重要なコンポーネントは、トラック・タイトル、アルバム・タイトル、アーティスト、ジャンル、および再生時間などの音楽の特徴のデータベースである。このような商用の曲情報データベースの１つが、Ｇｒａｃｅｎｏｔｅ  Ｃｏｒｐ．によって所有および保守されているＣＤＤＢであるが、その他の競合サービスも存在する。これらのデータベースについては、読者の便宜上、本開示を通じて「ＣＤＤＢ」（Ｃｏｍｐａｃｔ  Ｄｉｓｃ  Ｄａｔａ  Ｂａｓｅ）と総称する。ＣＤＤＢに対しては、情報を求めてクエリーを行い、新しい情報によって更新することができる。ＣＤＤＢと並ぶものが、ファイル・システム・データベースであり、これは、デジタル・ストレージ・ドライブ１０７上に保存されている音楽にとっての対応する情報を含む。ファイル・システム・データベースは、音楽の特徴だけでなく、特定のトラックがリストアップされている再生リストへの参照、およびディスク・ジョッキーによって入力された特徴データへのカスタム編集も含む。
【００５１】
ミュージック・システム１０を起動すると、ディスプレイ２１０、２１２のマトリックス・テキスト・エリア３５２内にスプラッシュ画面が表示される。スプラッシュ画面が表示された後、オペレーティング・システムは、ドライブ１１０、１１２のいずれかにメディアが装着されているかどうかを検知するために、メディア・ドライブ１１０、１１２に対してクエリーを行う。ドライブ１１０、１１２のいずれかの中でメディアが検知された場合、オペレーティング・システムは、ドライブ１１０、１１２内に装着されているメディアのタイプを識別しようと試み、適切な値を表示するようメディア・タイプ・インジケータ３１４に促す。メディアのタイプは、さらに上のレベルのメニューにも表示される。メディアがドライブ内に装着されていないか、あるいはそのメディアが識別不能である場合には、代わりにさらに上のレベルのメニュー内に「Ｎｏ  ＣＤ」と表示される。メディアのタイプに加えて、さらに上のレベルのメニューには、アルバム、ジャンル、および再生リストの選択もリストアップされる。ミュージック・システム１０の起動時に、取り外し可能なメディアがメディア・プレーヤ１１０、１１２内で見つかった場合、あるいはミュージック・システムがその時点で音楽を再生していないか、またはユーティリティ・モードである間に、取り外し可能なメディアがメディア・プレーヤ１１０、１１２内に装着された場合、オペレーティング・システムは、適切なディスプレイ２１４、２１６上にトラックの名前を表示する。この機能を達成するために、オペレーティング・システムは、ＣＤＤＢルックアップ機能を呼び出し、このＣＤＤＢルックアップ機能は、対応する情報を求めてＣＤＤＢに対してクエリーを行う。クエリーの結果、対応する情報が見つからない場合、それらのトラックは、昇順のトラック番号で表示される。ＣＤＤＢが誤った情報を返すか、あるいはその他の形で利用不能である場合には、ディスク・ジョッキーは、情報コントロール２４２を作動させることによって、トラック番号ＩＤと、見つかった情報との間で切り替えを行うことができる。ディスク・ジョッキーは、次いでジョグ・ホイール２２２および再生／一時停止コントロール２２４を使用して、すぐにその曲の再生を開始するか、あるいは頭出しコントロール２２６を使用して、再生ポイントをそのトラックの始まりに置いて一時停止することができる。
【００５２】
さらに上のレベルのメニュー・カテゴリへと移るために、ディスク・ジョッキーは、ジョグ・ホイール２２２を使用して希望のカテゴリを反転表示し、選択コントロール２２０を使用してそのカテゴリを開く。たとえばアーティスト・カテゴリが選択された場合、ディスプレイ２１４、２１６は、デジタル・ストレージ・ドライブ１０７上に曲が保存されているアーティストのメニューを表示する。特定のアーティストを選択すると、新しいメニューが開き、その時点でデジタル・ストレージ・ドライブ１０７上に保存されているそのアーティストによる曲がリストアップされる。次いでディスク・ジョッキーは、再生するための、頭出しするための、再生リストへ追加するための、あるいは削除するための曲を選択することができる。ジャンル・カテゴリへと移ると、オペレーティング・システムは、ジャズ、ポップス、オルタナティブ、およびニュー・エイジなど、利用可能なさまざまな音楽ジャンルのメニューを作動させるように促される。特定のジャンルを選択すると、オペレーティング・システムは、その時点でデジタル・ストレージ・ドライブ１０７上に保存されている曲のうち、ＣＤＤＢおよび／またはファイル・システム・データベースによる識別に従ってそのジャンル内に分類されるすべての曲をリストアップするメニューを作動させるように促される。
【００５３】
ディスク・ジョッキーは、メニュー内をブラウズするのではなく、音楽を求めて検索を行うこともできる。前述のように、検索コントロール２４０は、検索メニューを作動させる。検索メニューは、アーティストによる検索、アルバムによる検索、曲による検索、および再生リストによる検索という４つのオプションをディスク・ジョッキーに提示する。ディスク・ジョッキーは、ジョグ・ホイール２２２を使用して自らの選択を行い、選択コントロール２２０または検索コントロール２４０のいずれかを作動させて、その選択を確定する。選択が確定されると、ディスク・ジョッキーには、検索入力画面が提示される。
【００５４】
検索入力画面には、ディスク・ジョッキーが英数字の文字列を入力することができ、オペレーティング・システムは、その英数字の文字列を使用して、デジタル・ストレージ・ドライブ１０７を検索する。ディスク・ジョッキーは、検索文字列を入力するのに使用できる２つの方法を有する。１つめとして、ディスク・ジョッキーは、再生ユニット１００のフロント・パネル１０４上のキーボード・ポート１２２か、または再生ユニット１００のリア・パネル１０６上のキーボード・ポート１３８のいずれかに接続されている従来のキーボードを使用することができる。２つめとして、ディスク・ジョッキーは、ジョグ・ホイール２２２および選択コントロール２２０を使用して、検索文字列を入力することができる。ジョグ・ホイール２２２を時計方向に回転させると、Ａ〜ｚの文字および０〜９の数字がスクロールされる。ジョグ・ホイール２２２を反時計方向に回転させると、同じ文字および数字が、逆の順にスクロールされる。ディスク・ジョッキーは、誤った文字を選択した場合、保存／削除コントロール２５２を作動させることによって、入力した文字を削除することができる。
【００５５】
検索文字列が入力された後に、検索コントロール２４０を作動させると、オペレーティング・システムは、検索を開始するように促される。検索結果画面が、検索文字列とマッチした、あるいは部分的にマッチしたすべての曲のリストと共に、オペレーティング・システムによって表示される。ジョグ・ホイール２２２および選択コントロール２２０を使用することによって、特定の曲を選択することができる。バック・コントロール２１８または検索コントロール２４０を作動させると、オペレーティング・システムは、さらに上のレベルのメニューへ戻るように促される。
【００５６】
ディスク・ジョッキーは、アーティスト、アルバム、再生時間、あるいは圧縮率など、特定の曲に関するさらに多くの情報を見たい場合には、その曲が選択されている間に情報コントロール２４４を作動させることができる。ファイル・システム・データベース、あるいは必要に応じてＣＤＤＢから検索されたその曲に関するすべての特徴が、全曲情報画面内に表示される。情報コントロール２４４を作動させて２秒間そのまま保持することによって、オペレーティング・システムは、曲情報編集画面を表示するように促される。
【００５７】
曲情報編集画面によって、ディスク・ジョッキーは、曲の情報特徴を変更することができる。保存された変更は、ファイル・システム・データベースに保存される。ディスク・ジョッキーは、曲の情報がＣＤＤＢ内に見当たらないために、あるいはＣＤＤＢから検索された情報に誤りがあるために、これを行うことを望む可能性がある。ディスク・ジョッキーは、ジョグ・ホイール２２２および選択コントロール２２０を使用して、自分が編集したい特徴を選択する。特徴が選択されると、カーソルが現れて、１つの文字の幅を覆う。
【００５８】
カーソルは、はじめに最初の文字の上に現れる。選択コントロール２２０を作動させると、カーソルは１文字進む。バック・コントロール２１８を作動させると、カーソルは１文字後退する。ディスク・ジョッキーは、検索文字列を入力する際に述べたように、キーボードまたはジョグ・ホイール２２２のいずれかを使用して、特徴に対するあらゆる変更を入力する。ディスク・ジョッキーが、特定の特徴の中の情報を変更したいという要求を全く持っていないか、あるいは行われたあらゆる変更を破棄したい場合には、カーソルがその特定の特徴の最初の文字の上にある間にバック・コントロールを作動させると、ディスク・ジョッキーは、別の特徴を選択し、ジョグ・ホイール２２２を使用して編集することができる。
【００５９】
特徴に対して行われたあらゆる変更を保存するためには、ディスク・ジョッキーは、保存／削除コントロール２５２を作動させる。情報コントロール２４２を作動させると、オペレーティング・システムは、曲情報編集画面から離れて、さらに上のレベルのメニューへ戻るように促される。
【００６０】
再生リストを作成して曲順を決定するためには、ディスク・ジョッキーはまず、自分が再生リストに追加したいトラックを探して検索あるいはブラウズを行う。ディスク・ジョッキーは、希望のトラックを見つけると、プログラム・コントロール２４８を作動させて、そのトラックを再生リストに追加する。プログラム・コントロール２４８を作動させると、オペレーティング・システムは、そのトラックを再生リストに追加するように、またその選択されたトラックを、再生リストに追加したものとしてマークするように促される。マークされたトラック上でプログラム・コントロール２４８を作動させると、再生リストからそのトラックの選択が解除され、そのトラックのマークが外される。
【００６１】
ディスク・ジョッキーの希望するすべてのトラックが再生リストに追加されると、ディスク・ジョッキーは、保存／削除コントロール２５２を作動させることによって、再生リストを保存することができる。オペレーティング・システムは、その時点の再生リスト画面を表示するように促され、この再生リスト画面は、選択されたトラックのリストを有する。保存／削除コントロール２５２をもう一度作動させると、オペレーティング・システムは、再生リストを保存するように促される。保存プロセスを完了するために、オペレーティング・システムは、再生リストの名前を入力するようディスク・ジョッキーに促す。ディスク・ジョッキーは、キーボードを使用すること、またはジョグ・ホイール２２２および選択コントロール２２０を使用することのいずれかによって、名前を入力することができる。ディスク・ジョッキーは、後で再生リストの名前を変更したい場合には、ジョグ・ホイール２２２を使用して再生リストを選択し、次いで情報コントロール２４２を作動させて２秒間そのまま保持することによって、これを行うことができる。そしてディスク・ジョッキーは、前述のトラックの特徴を編集する際と同様に再生リストの名前を編集することができる。
【００６２】
ディスク・ジョッキーは、選択したトラックの順序に満足していないか、あるいは選択したトラックのうちのいくつかを追加または削除したい場合には、バック・コントロール２１８を作動させて、追加するトラックの選択と、前に選択したトラックの選択解除へと進むことができる。複数のトラックを選択したり選択解除したりすることによって、ディスク・ジョッキーは、再生リストの曲順を変えることもできる。
【００６３】
ディスク・ジョッキーは、現在の再生リストの保存は希望しないが、それでも現在の再生リスト内のトラックを再生したい場合には、再生／一時停止コントロール２２４を作動させることによって、現在の再生リストを再生することができる。
【００６４】
ディスク・ジョッキーは、再生リスト内のトラックをすべて再生したいわけではない場合には、希望しないトラックを、ジョグ・ホイール２２２を使用して選択し、次いでプログラム・コントロール２４８を作動させることによって、選択解除することができる。オペレーティング・システムはまた、その選択されているトラックのマークを外すようにも促される。
【００６５】
ミュージック・システム１０のオペレーティング・システムのユニークな特徴は、メディア・ドライブ１１０、１１２からのトラックや、ライン入力１２８からの信号を録音して、そのトラックや信号を、ＭＰ３、ＭＰＥＧ−２、ＯＧＧ、ＷＭＡ、ＡＡＣ、ＭＬＰ、Ｍ４Ａなどのコンパクトなストレージ・フォーマットへと圧縮する機能である。メディア・プレーヤ１１０、１１２から録音するためには、ディスク・ジョッキーは、取り外し可能なメディアをメディア・ドライブ１１０、１１２のうちの一方に装着し、ジョグ・ホイール２２２を使用してタイトルまたはトラックのいずれかを選択し、そして適切な録音コントロール２５０を作動させなければならない。メディアのタイトル・フィールドを選択すると、オペレーティング・システムは、そのメディアのすべてのコンテンツを録音するように促される。メディアの特定のトラックを選択すると、オペレーティング・システムは、そのトラックのみを録音するように促される。録音コントロールを作動させると、オペレーティング・システムは、録音モードに入って録音オプション画面を表示するように促される。録音オプション画面は、ディスク・ジョッキーに複数のオプションを提示する。これらのオプションは、高速アーカイブ、保存および圧縮、ならびに外部ライン入力を含む。高速アーカイブ録音オプションは、トラックあるいはアルバムをデジタル・ストレージ・ドライブ１０７上に生のフォーマットでコピーする。この機能によって、ディスク・ジョッキーは、トラックをメディアからデジタル・ストレージ・ドライブ１０７へ高速に転送できるため、この機能は、パフォーマンス中のディスク・ジョッキーにとって有用である。保存および圧縮録音オプションは、メディアの生のコンテンツを、さらに完全に後述するユーティリティ・メニュー内に設定されたユーザ定義の設定に従って、ＭＰ３、ＭＰＥＧ−２、ＯＧＧ、ＷＭＡ、ＡＡＣ、ＭＬＰ、Ｍ４Ａなどの圧縮されたフォーマットへと圧縮する。ディスク・ジョッキーは、ジョグ・ホイール２２２および選択コントロール２２０を使用して、希望の選択を行う。録音中に、オペレーティング・システムは、適切なディスプレイ２１４、２１６のマトリックス・テキスト・エリア３５２をその進展によって更新する。
【００６６】
ライン入力１２８から録音するためには、ディスク・ジョッキーは、ジョグ・ホイール２２２を使用して録音オプション画面から外部ライン入力オプションを選択し、次いで再生／一時停止コントロール２２４を作動させる。そしてオペレーティング・システムは、ライン入力１２８から録音を開始し、外部ライン入力画面を表示するよう適切なディスプレイ２１４、２１６のマトリックス・テキスト・エリア３５２に促す。ディスク・ジョッキーが、ライン入力１２８の録音中にトラックの作成を希望する場合、録音コントロール２５０を作動させると、オペレーティング・システムは、現在のトラックの終わりにマークを付けて、それを保存するように促される。次いでオペレーティング・システムは、ライン入力１２８から録音を続け、その録音に新たな連続したトラック番号を割り当てる。そしてディスク・ジョッキーは、前述のように情報コントロール２４２を使用して、後でトラックの名前を編集することができる。ライン入力１２８の録音を停止するためには、ディスク・ジョッキーは、再生／一時停止コントロール２２４をもう一度作動させる。保存／削除コントロール２５２を作動させると、オペレーティング・システムは、ジャンル、アルバム、アーティスト、およびトラックの名前など、録音の特徴を表す値を入力するようディスク・ジョッキーに促す。ディスク・ジョッキーは、ジョグ・ホイール２２２および選択コントロール２２０を使用して、編集したいフィールドを選択する。次いでディスク・ジョッキーは、バック・コントロール２１８、選択コントロール２２０、およびジョグ・ホイール２２２を組み合わせて使用して、希望する名前の変更を行う。ディスク・ジョッキーは、保存／削除コントロール２５２を作動させることによって、名前の変更を確定する。該当するフィールドに対して希望する名前の変更を入力した後に、保存／削除コントロール２５２をもう一度作動させると、その録音は、ファイル・システム・データベース内のデジタル・ストレージ・ドライブ１０７に保存される。
【００６７】
前述のように、ユーティリティ・コントロール２５６を作動させると、オペレーティング・システムが呼び出されて、ユーティリティ・メニュー画面が表示される。ユーティリティ・メニュー画面は、圧縮メニュー、削除メニュー、システム・メニュー、パスワード・メニュー、およびカスタム・メニューを含む複数のサブメニューをディスク・ジョッキーに提示する。ディスク・ジョッキーは、ジョグ・ホイール２２２および選択コントロール２２０を使用して希望のサブメニューを選択することによって、その希望のサブメニューを入力する。
【００６８】
圧縮サブメニューを選択すると、ディスク・ジョッキーには、圧縮オプション画面が提示される。圧縮オプション画面は、ディスク・ジョッキーが調整できる３つの設定を有する。これらの設定は、メディア・ドライブ１１０、１１２用のサンプリング・レート、ライン入力１２８用のサンプリング・レート、および以前に高速アーカイブされたトラックを圧縮するオプションである。メディア・ドライブ１１０、１１２用のサンプリング・レートは、複数の設定の間で調整することができる。これらの設定は、１２８ｋｂｐｓ、３２０ｋｂｐｓ、およびＣＤ（ＰＣＭ）オーディオを含む。サンプリング・レートが高くなればなるほど、結果として生じるトラックの音質は高くなるが、より大きなファイルが必要になるという犠牲を伴う。以前に高速アーカイブされて録音されたトラックを圧縮するオプションは、そのトラックをコンパクトなストレージ・フォーマットへと圧縮し、その高速アーカイブ・ファイルを削除する。このオプションは、ディスク・ジョッキーが高速アーカイブ機能を通じてトラックをメディアからデジタル・ストレージ・ドライブ１０７へ転送した場合のパフォーマンス後のハウス・クリーニング機能として、ディスク・ジョッキーにとって有用である。
【００６９】
削除サブメニューを選択すると、ディスク・ジョッキーには、削除オプション画面が提示される。削除オプション画面は、最初にパスワードを入力するようディスク・ジョッキーに促す。ディスク・ジョッキーは、キーボードか、またはジョグ・ホイール２２２および選択コントロール２２０のいずれかを使用して、パスワードを入力する。パスワードの設定については、以降で詳しく論じる。正しいパスワードを入力すると、オペレーティング・システムは、ディスク・ジョッキーに複数のオプションを提示する。これらのオプションは、アルバムによる検索、アーティストによる検索、再生リストによる検索、および再フォーマットを含む。これらのオプションによって、ディスク・ジョッキーは、分類に従って特定のトラックを検索したり、１つのカテゴリ全体を削除したりすることができる。たとえばディスク・ジョッキーは、特定のアルバムに付随するすべてのトラックや、そのアルバム上の特定のトラックを削除することができる。再生リスト・オプションによって、ディスク・ジョッキーは、再生リストを削除したり、その再生リスト内にリストアップされている特定のトラックを検索して削除したりすることができる。再フォーマット・オプションによって、ディスク・ジョッキーは、デジタル・ストレージ・ドライブ１０７の全体を削除することができる。ディスク・ジョッキーが、削除したいターゲットを選択して、保存／削除コントロール２５２を作動させると、オペレーティング・システムは、ディスク・ジョッキーがそのターゲットの削除を進めることを希望しているかどうかを確認するように促される。ディスク・ジョッキーは、保存／削除コントロール２５２をもう一度作動させて、その削除を確定および実行する。
【００７０】
システム・サブメニューを選択すると、ディスク・ジョッキーには、システム・オプション画面が提示される。システム・オプション画面は、ディスク・ジョッキーに複数のオプションを提示する。これらのオプションは、容量、バージョン番号、ファームウェアの更新、およびデフラグを含む。容量オプションを選択すると、トータル容量画面が呼び出され、ストレージのトータル・サイズ、ドライブ上の残りのストレージ、圧縮されていないファイルを圧縮することを通じて節約できるスペースの総計、および再生時間の単位（時間、分、秒）で見積もられた残りのストレージなど、デジタル・ストレージ・ドライブ１０７の特徴が表示される。バージョン番号オプションを選択すると、ディスク・ジョッキーには、オペレーティング・システムのバージョン情報が提示される。ファームウェアの更新オプションを選択すると、ディスク・ジョッキーは、データ・ポート１２０、１３６のいずれかに接続されているパーソナル・コンピュータを通じてオペレーティング・システムを更新することができる。デフラグ・オプションを選択すると、オペレーティング・システムは、最適なアクセスのためにデジタル・ストレージ・ドライブ１０７上にデータをどのように保存するかを割り当て直すように促される。
【００７１】
パスワード・サブメニューを選択すると、ディスク・ジョッキーには、パスワード設定画面が提示される。パスワード設定画面によって、ディスク・ジョッキーは、ミュージック・システム１０へのアクセスを保護するためのパスワードを設定することができる。オペレーティング・システムは、古いパスワードを入力するようディスク・ジョッキーに促す。ディスク・ジョッキーは、キーボードか、またはジョグ・ホイール２２２、バック・コントロール２１８、および選択コントロール２２０のいずれかを使用して、古いパスワードを入力する。ディスク・ジョッキーは、保存／削除コントロール２５２を作動させることによって、古いパスワードを確定する。ディスク・ジョッキーが古いパスワードを確定すると、オペレーティング・システムは、新しいパスワードを入力するようディスク・ジョッキーに促す。ディスク・ジョッキーは、同じ手順を用いて新しいパスワードを入力し、確定する。ディスク・ジョッキーが新しいパスワードを確定すると、その新しいパスワードが設定される。
【００７２】
カスタム・サブメニューを選択すると、ディスク・ジョッキーには、カスタム・オプション画面が提示される。カスタム・オプション画面は、ディスク・ジョッキーに複数のオプションを提示する。これらのオプションは、ＣＤＤＢルックアップを有効にしたり無効にしたりすること、およびメディア・ドライブ１１０、１１２上のドアを自動的に閉めるための時間を設定することを含む。ＣＤＤＢルックアップ・オプションを選択すると、ディスク・ジョッキーは、オペレーティング・システムのオートルックアップ機能を有効にしたり無効にしたりすることができる。オートドア・クロージング・オプションを選択すると、ディスク・ジョッキーは、メディア・ドライブ１１０、１１２へのアクセス・ドアが開いたまま放置されている場合にそのアクセス・ドアを自動的に閉めるための時間を設定することができる。メディア・ドライブ１１０、１１２が自動的に閉まらないように、この機能を無効にすることもできる。
【００７３】
ディスク・ジョッキーが、ミュージック・システム１０を、データ・ポート１２０、１３６のいずれかを介してパーソナル・コンピュータへ接続すると、オペレーティング・システムは、ディスク・ジョッキーに接続を知らせる接続後の画面を表示する。そしてディスク・ジョッキーは、パーソナル・コンピュータ上のソフトウェアを使用して、メディア・ファイルをアップロードおよびダウンロードし、前述のすべての機能を管理することができる。パーソナル・コンピュータをデータ・ポート１２０、１３６から切り離すと、オペレーティング・システムは、ミュージック・システム１０をリセットするように促される。
【００７４】
ミュージック・システム１０の機能を管理することに加えて、パーソナル・コンピュータ上のソフトウェア・ユーティリティは、ミュージック・システム１０のファームウェア、すなわちオペレーティング・システムを更新することができる。この貴重な機能は、ディスク・ジョッキーが最新の利用可能なソフトウェアを有することができるということを意味するだけでなく、これによって製造業者は、より早く製品を市場にリリースすることもでき、顧客と製造業者の双方にとって、サービス・コストおよびダウン・タイムが少なくなる。ソフトウェア・ユーティリティはまた、ミュージック・システム１０とパーソナル・コンピュータの間で曲を転送すること、曲を削除すること、ミュージック・システム１０のファイル・システム内に保存されている曲ＩＤタグ・データの編集を可能にすること、再生リストおよび再生リスト・データを作成、編集、および削除すること、ＣＤＤＢ情報の更新を可能にすることもできる。さらにソフトウェア・ユーティリティは、ミュージック・システム１０内に保存されているすべての曲の完全なリストをエクスポートすることができる。結果として生じるリストは、Ｍｉｃｒｏｓｏｆｔ  ＡｃｃｅｓｓやＥｘｃｅｌのプログラムなど、その他の任意のデータベースやスプレッドシートのプログラム内へ挿入することができる。これらの機能は、自分の音楽のリストをクライアントと共有したいディスク・ジョッキーにとって非常に有用である。ソフトウェア・ユーティリティによって、新しいデジタル・ストレージ・ドライブ１０７のフォーマット設定が、ミュージック・システム１０と共に機能することも可能になる。これは、ユーザが、より大きなトータル・ストレージ容量を有するデジタル・ストレージ・ドライブ１０７によって自分のミュージック・システム１０をアップグレードできるようにする上で重要である。
【００７５】
本発明について、特定の好ましい実施形態に関して相当に詳しく説明したが、その他のバージョンも可能である。たとえば図６は、本発明のミュージック・システム４００の代替実施形態を示しており、ここでは、コントロール・ユニット４０２、第１のメディア・リーダ４０４、第２のメディア・リーダ４０６、およびデジタル・ストレージ・ドライブ４０７が、単一のメイン・ハウジング４０８内に含まれている。このミュージック・システム４００の機能は、詳細に上述した本発明の好ましい実施形態のミュージック・システム１０と同じであるということが理解できるはずである。本発明のユーザによっては、好ましい実施形態１０の別々のハウジング１０２、２０２よりも単一のハウジング４０８を好む可能性もある。
【００７６】
したがって、本発明の趣旨から逸脱することなく、説明した実施形態にさまざまな変更および修正を実施することができるということを当業者なら理解できるであろう。そのようなすべての修正および変更は、添付の特許請求の範囲によってカバーされることを意図するものである。
【図面の簡単な説明】
【００７７】
【図１】本発明の好ましい実施形態を示す斜視図である。
【図２ａ】本発明の再生ユニットの好ましい実施形態を示す正面図である。
【図２ｂ】本発明の再生ユニットの好ましい実施形態を示す背面図である。
【図３ａ】本発明のコントロール・ユニットの好ましい実施形態を示す正面図である。
【図３ｂ】本発明のコントロール・ユニットの好ましい実施形態を示す背面図である。
【図４】本発明の第１のインターフェースの好ましい実施形態を示す拡大図である。
【図５】本発明のディスプレイの好ましい実施形態を示す拡大図である。
【図６】単一のハウジングにおける代替実施形態を示す斜視図である。
【図１】
2008500670.tif 000003
【図２ａ】
2008500670.tif 000004
【図２ｂ】
2008500670.tif 000005
【図３ａ】
2008500670.tif 000006
【図３ｂ】
2008500670.tif 000007
【図４】
2008500670.tif 000008
【図５】
2008500670.tif 000009
【図６】
2008500670.tif 000010